(57)【特許請求の範囲】
【請求項１】
ホログラフィックデータ記録媒体であって、記録層（２）として調整されたポリマー膜を備え、該ポリマー膜の屈折率は、加熱によって局所的に変更可能であり、該ポリマー膜（２）は、該ポリマー膜（２）内の局所的光路長を介して光学位相情報を記録するように調整され、該ポリマー膜（２）は、情報が読み出される場合に透過中に照射され、該ポリマー膜（２）は、二軸方向に引っ張られている、ホログラフィックデータ記録媒体。
【請求項２】
前記ポリマー膜（２）は、ポリプロピレン、ポリエステル、ポリ塩化ビニル、ポリエチレンナフタレート、ポリエチレンテレフタレート、ポリメチルペンテン、ポリイミドの群から選択される材料を有することを特徴とする、請求項１に記載のホログラフィックデータ記録媒体。
【請求項３】
前記ポリマー膜（２）の裏側に反射層（６）が配置されることを特徴とする、請求項１および２の１つに記載のホログラフィックデータ記録媒体。
【請求項４】
前記ポリマー膜（２）に、吸収体色素（８）が与えられ、該吸収体色素が、情報を入力するために利用される書き込みビームを少なくとも部分的に吸収することと、工程において生成された熱を、少なくとも部分的に局所的に該ポリマー膜（２）に送達することとを行うように調整されたことを特徴とする、請求項１〜３の１つに記載のホログラフィックデータ記録媒体。
【請求項５】
前記ポリマー膜の材料に、吸収体色素が添加されることを特徴とする、請求項４に記載のホログラフィックデータ記録媒体。
【請求項６】
吸収体色素は、前記ポリマー膜（２）上に配置された吸収体層（８）内に配置されることを特徴とする、請求項４または５に記載のホログラフィックデータ記録媒体。
【請求項７】
前記吸収体層（８）は、結合剤を有することを特徴とする、請求項６に記載のホログラフィックデータ記録媒体。
【請求項８】
前記データ記録媒体を物体に接着するための接着層を特徴とする、請求項１〜７の１つに記載のホログラフィックデータ記録媒体。
【請求項９】
ホログラフィック情報が記録されている、請求項１〜８の１つに記載のホログラフィックデータ記録媒体。
【請求項１０】
ホログラフィックデータ記録媒体としてのデータ記録媒体の使用であって、該データ記録媒体は、記録層として調整されたポリマー膜（２）を有し、該ポリマー膜の屈折率は、加熱によって局所的に変更可能であり、光学位相情報は、該ポリマー膜（２）内に局所的光路長を介して記録可能であり、該ポリマー膜（２）は、情報が読み出される場合に透過中に照射され、該ポリマー膜（２）は、二軸方向に引っ張られている、データ記録媒体の使用。
【請求項１１】
前記データ記録媒体は、請求項２〜９の１つに記載のホログラフィックデータ記録媒体の特徴を有することを特徴とする、請求項１０に記載の使用。
【請求項１２】
請求項１〜９の１つに記載のホログラフィックデータ記録媒体（１）に情報を入力する方法であって、記録対象物のホログラム内に含まれる位相情報は、二次元配列として計算され、書き込みデバイスの書き込みビームは、該データ記録媒体（１）の記録層（２）および／または、場合によっては、関連した吸収体層（８）に向けられ、該書き込みデバイスの書き込みビームは、記録層（２）として調整された該ポリマー膜における局所的光路長が該位相情報に従って屈折率の局所的変化によって調整されるように、該二次元配列に従って駆動される、方法。
【請求項１３】
前記書き込みデバイスは、レーザリソグラフである、請求項１２に記載の方法。
【請求項１４】
前記位相情報は、所与の大きさのピット（４）の形態で、前記記録層（２）に入力されることを特徴とする、請求項１２または１３に記載の方法。
【請求項１５】
１つのピット（４）内に、前記位相情報がバイナリコード化された形態で記録されることを特徴とする、請求項１４に記載の方法。
【請求項１６】
１つのピット（４）内に、前記位相情報が連続的にコード化された形態で記録され、該ピット（４）内の前記局所的光路長は、所与の値の範囲から選択されることを特徴とする、請求項１４に記載の方法。
【請求項１７】
請求項１〜９の１つに記載のホログラフィックデータ記録媒体（１）から情報を読み出す方法であって、前記光学位相情報は、所与の大きさのピット（４）の形態で、前記記録層（２）に入力され、光は、該データ記録媒体（１）の記録層（２）上で大きい面に向けられ、該データ記録媒体（１）の該記録層（２）は、透過中に照射され、該光は、場合によっては、記録層（２）として調整された前記ポリマー膜の裏側の前記反射層（６）において反射され、該照射された領域に含まれる該情報の再構成として、該データ記録媒体（１）と距離をおいて、ホログラフィック像（１６）が検出される、方法。
【請求項１８】
前記光は、コヒーレント光である、請求項１７に記載の方法。
【請求項１９】
前記ホログラフィック像は、データ処理デバイスと接続されたＣＣＤセンサによって検出されることを特徴とする、請求項１７または１８に記載の方法。
【発明の詳細な説明】
【０００１】
本発明は、例えば、写真、ロゴ、テキスト等といった画像データを記録するための、しかしながら他のデータを記録するためにも用いられ得るホログラフィックデータ記録媒体に関する。
【０００２】
ホログラムにおいて、対象物に関する光学位相情報がホログラムの表面上に分散して含まれる。光、特にレーザからのコヒーレント光を照射すると、この情報から対象物の像が復元され得る。ホログラムは、技術部門において、例えば、主として偽造検査の識別手段（ｆａｅｌｓｃｈｕｎｇｓｓｉｃｈｅｒｅ  Ｋｅｎｎｚｅｉｃｈｎｕｎｇｅｎ）の形態等で多様に利用される。このような識別手段は、例えば、クレジットカードまたは小切手保証カード上に見出され得、いわゆる白色光ホログラムとして、自然光の照明においても、描かれた対象物の三次元像を示す。一般に普及しているのは、材料の表面にリリーフ構造が刻み込まれた、写真の方法で作製されるホログラムおよび浮き彫りホログラム（Ｐｒａｅｇｅｈｏｌｏｇｒａｍｍｅ）である。このリリーフ構造において、対象物を複製するために用いられる光が、ホログラム内に記録された位相情報に対応して散乱し、干渉効果によって対象物の復元された像が生じる。
【０００３】
ＷＯ００／１７８６４号において、記録層として調整されたポリマー膜を含む、光学的情報キャリアを有するデータ記録媒体が記載される。このポリマー膜は、例えば、二軸配向ポリプロピレンを含む。公知のデータ記録媒体において、ポリマー膜は、複数のプライでらせん状に巻回コアに巻き付けられ、隣接し合うプライ間には、それぞれ１つの接着層が位置する。データドライブの書き込みビームを用いて、ポリマー膜が局所的に加熱されることによって、データ記録媒体に情報が書き込まれる。これによって、ポリマー膜の屈折率、およびポリマー膜の界面における反射率は、局所的に変化する。これは、データドライブにおいて、レーザビームによって検出され得る。なぜなら、レーザビームは、書き込まれた情報に応じて、ポリマー膜の界面において、局所的に、より強く、またはあまり強くなく反射されるからである。書き込みビームまたは読み出しビームをフォーカスすることによって、情報は、情報キャリアの予め選択されたプライに的確に書き込まれ得、かつこのプライから読み出され得る。
【０００４】
本発明の課題は、コストが安く、広範囲な適用可能性を有するホログラフィックデータ記録媒体を提供することである。
【０００５】
この課題は、請求項１の特徴を有するホログラフィックデータ記録媒体、および請求項１１によるデータ記録媒体を用いることによって解決される。このようなデータ記録媒体に情報を入力する方法は、請求項１３に記載される。このようなデータ記録媒体から情報を読み出す方法は、請求項１７に記載される。本発明の有利な実施形態は、従属請求項に列記される。
【０００６】
本発明によるホログラフィックデータ記録媒体は、加熱により屈折率が局所的に変更可能な、記録層として調整されたポリマー膜を有する。このポリマー膜は、情報を読み出す際に透過して照射されるポリマー膜に、光路長に関する光学位相情報を記録するために調整される。ポリマー膜において、さらに、局所的、すなわち、情報ユニットを記録することが予定された領域において、位相情報がファイルされ得る。これは、この領域において、加熱によって屈折率が変更されることによって起こる。屈折率の局所的変更は、ポリマー膜から情報を読み出す際に用いられるビーム（ポリマー膜を透過して照射する）の光路長を変更する。光路長は、すなわち、幾何学的経路長さと屈折率との積である。従って、屈折率の変更を介して、情報を読み出す際に用いられるビームの局所的位相プライ（Ｐｈａｓｅｎｌａｇｅ）が影響を受け、すなわち、所望の位相情報が記録され得る。情報ユニットを記録するための局所的領域（以下において、「ピット」と呼ばれる）は、通常、０．５μｍ〜１μｍの規模の直線的寸法（すなわち、例えば、側長または直径）を有するが、他の大きさも可能である。本発明によるホログラフィックデータ記録媒体は、コストが安く、多様に適用され得る。
【０００７】
従って、本発明による、ホログラフィックデータ記録媒体は、屈折性位相ホログラム（ｒｅｆｒａｋｔｉｖｅｓ  Ｐｈａｓｅｎｈｏｌｏｇｒａｍｍ）または透過ホログラム（Ｔｒａｎｓｍｉｓｓｉｏｎｓｈｏｌｏｇｒａｍｍ）として用いられ得る。ここで、所望の位相情報は、屈折率の変化を介して局所的に記録され、情報を読み出すために、ポリマー膜が照射される。逆に、ＷＯ００／１７８６４号から公知のデータ記録媒体の場合、読み出し工程において、反射された読み出しビームの振幅の差異を記録し得るように、ポリマー膜の界面において反射力が変更される。以下において明らかなように、本発明によるホログラフィックデータ記録媒体は、コストが安く、かつ多様に適用され得る。
【０００８】
好適には、本発明によるホログラフィックデータ記録媒体において、例えば、ポリマー膜が作製される際に、これらの平面の範囲内で、２つの垂直に重なり合う方向に圧縮応力を加えることによって、ポリマー膜は双軸方向に引張られる。単位面積ごとに比較的わずかなエネルギー量を蓄積させて、例えば、書き込みビームを用いて加熱することによって、比較的大きな材料変化（例えば、材料密度）が改質によって達成され得る。この改質は、ポリマー膜に屈折率の局所的変化および光路長の変化をもたらす。二軸方向に引張られたポリマー膜は、大量生産のプラスチックから作製されるので、ホログラフィックデータ記録媒体はコストが安い。
【０００９】
ポリマー膜を作製するために適切な材料は、例えば、ポリプロピレン、ポリエステルまたはポリ塩化ビニルであり、このような材料を有するポリマー膜は、好適には、二軸方向に引張られる。より高い温度安定性、従って、ホログラフィックデータ記録媒体の改善された耐劣化性（Ａｌｔｅｒｕｎｇｓｂｅｓｔａｅｎｄｉｇｋｅｉｔ）および保存安定性（Ｌａｇｅｒｓｔａｂｉｌｉｔａｅｔ）ならびに劣化プロセスが原因で起こるデータ喪失に対する向上したセキュリティは、微結晶の高められた融点（Ｋｒｉｓｔａｌｌｉｔｓｃｈｅｍｅｌｚｐｕｎｋｔ）を有するポリマー膜を用いて達成され得る。ここで、結晶の融点は、好適には、最低１７０℃である。このような材料の例は、ポリエチレンナフタレート（ＰＥＮ）、ポリエチレンテレフタレート（ＰＥＴ）、ポリメチルペンテン（ＰＭＰ、さらにポリ−２−メチルペンテン）およびポリイミドであり、さらに、このような材料を含むポリマー膜は、好適には、二軸方向に引張られる。
【００１０】
ポリマー膜の好適な厚さは、１０μｍ〜１００μｍの範囲であり、好適には、約５０μｍまたは５０μｍ未満であるが、これよりも小さいか、これよりも大きい厚さも考えられ得る。
【００１１】
本発明の好適な実施形態において、ポリマー膜の裏側に、反射層（例えば、アルミニウムを含む）が設けられる。情報を読み出すために用いられるビーム、つまり、特に、レーザ光は、この反射層において反射されるので、ポリマー膜は、情報を読み出す際に二度透過して照射される。好適には、ピットと反射層との距離（すなわち、屈折率は局所的に変更されない、反射層に隣接するポリマー膜の区域の厚さ）は、妨害的な干渉効果および重ね合わせ効果が回避されるように調整される。ホログラフィックデータ記録媒体が、ポリマー膜の裏側に反射層を有する構造は、構成が機械的キャリア上か、または情報が提供された物体上に直接的に付与され得ることは有利である。なぜなら、記録された情報を表す画像は、ポリマー膜の裏側で復元される必要がないからである。
【００１２】
ポリマー膜に、情報を入力するために利用される書き込みビームを、少なくとも部分的に吸収し、およびその際に生成された熱を、少なくとも部分的に局所的にポリマー膜に放出するように調整される、吸収体色素が割り当てられ得る。このような吸収体色素は、強度が比較的小さい書き込みビームで、屈折率を変更するために十分なポリマー膜の加熱を可能にする。好適には、吸収体色素は、ポリマー膜上に設けられた吸収体層内に配置される。しかしながら、吸収体色素は、さらに、ポリマー膜の材料に添加され得る。混合形態も、同様に考えられ得る。吸収体層は、好適には、吸収体色素の分子用のマトリクスまたは結合剤として利用される、光学的に透明なポリマー（例えば、ポリメチルメタクリレート（ＰＭＭＡ）または、比較的高い温度での使用には、ポリメチルペンテン、ポリエーテルエーテルケトン）（ＰＥＥＫ）またはポリエーテルイミド）を含む薄い層（例えば、１μｍ〜５μｍの厚さ）を有する。効率的な吸収を達成するために、吸収体色素の吸収極大は、用いられる書き込みビームの光波長と一致する必要がある。レーザによって生成された書き込みビームの５３２ｎｍの光波長には、スーダンレッド系（ジアゾ色素）またはエオシンスカーレットレッドが適切である。６６５ｎｍまたは６８０ｎｍの光波長を有する一般的なレーザダイオードには、スチリル系（レーザ色素として一般的である）からの緑色色素がより適切である。
【００１３】
本発明の好適な実施形態において、ホログラフィックデータ記録媒体は、データ記録媒体を物体に接着するための接着層を有する。接着層は、データ記録媒体を迅速かつ難なく所望の物体上に接着することを可能にし、従って、データ記録媒体は、機械によって読み出し可能な、物体に関する情報が記録されたラベルとして利用される。接着層として、特に、粘着層、または、感圧性接着剤を有する層が適切である。この層には、好適には、納品時の状態において、取り外し可能な保護カバー（例えば、フィルムまたはシリコン紙）が提供される。
【００１４】
上述の層またはプライの他に、本発明によるデータ記録媒体は、例えば、透明のワニスまたはポリマーを含み、記録層の前に設けられる、保護層等のさらなるプライも有し得る。選択的接着層は、好適には、反射層の裏側または機械的キャリアの裏側に位置する。
【００１５】
記録されるべき情報は、以下のような方法によって、本発明によるホログラフィックデータ記録媒体内に入力され得る。この方法において、記録対象物のホログラムに含まれる位相情報が二次元構成として計算され、書き込みデバイスの書き込みビーム、好適には、レーザリソグラフィの書き込みビームが、記録層、および／または場合によっては、データ記録媒体の記録層に向けられ、二次元構成に対応して、記録層として調整されたポリマー膜内の局所的光路長が、位相情報に従って、局所的光路長が屈折率の局所的変化によって設定されるように駆動される。
【００１６】
記録対象物において光が散乱する際の物理的工程が公知であるため、ホログラムを生成する従来の構造は（この構造において、例えば、対象物（記録対象物）によって散乱させられ、コヒーレント基準ビームを用いて干渉させられ、ここで生じる干渉パターンはホログラムとして記録されるレーザからのコヒーレント光）、コンピュータプログラムを用いてシミュレーションされ、干渉パターン、またはこのパターンの中に含まれる位相情報が二次元構成（二次元アレイ）として計算され得る。適切なレーザリソグラフィの解像度は、通常、約５００００ｄｐｉ（インチ毎のドット）である。これによって、ポリマー膜内の屈折率は、約０．５μｍ〜１μｍの大きさの領域またはピットにおいて局所的に変更され得る。書き込み速度および他の詳細は、得に、書き込みレーザのパラメータ（レーザパワー、光波長）、および露光持続時間に依存する。
【００１７】
位相情報は、さらに、好適には、所与の大きさのピットの形態で記録層に入力される。ここで、ピット内に位相情報がバイナリコード化された形態で記録され得る。すなわち、所与のピットの領域において、ポリマー膜は、２つの可能な屈折率の値のうちの１つのみを想定する。これらの値は、好適には、明確に区別され、従って、情報を確実および明瞭に記録するために、一方の値か、または他方の値に近い、実際に生じる屈折率の平均値は、一方か、または他方の値に明確に割り当てられ得る。
【００１８】
あるいは、ピット内に位相情報が連続的にコード化された形態で記録され得、ここで、ピット内の局所的光路長は、所与の数値範囲から選択される。これは、所与のピット内でポリマー膜の屈折率が、所与の数値範囲から任意の値を想定し得ることを意味する。従って、この場合、情報は「グレーステージに」記録され得るので、各ピットに、複数のビットの情報コンテンツが割り当てられる。
【００１９】
本発明による、ホログラフィックデータ記録媒体から情報を読み出す方法において、光、好適には（例えば、レーザの）コヒーレント光は、データ記録媒体の記録層上の大きい面に向けられ、データ記録媒体の記録層は、透過して照射される。ここで、光は、場合によっては、記録層として調整されたポリマー膜の裏側の反射層（このような層がある場合）において反射される。照射された領域に含まれる情報の復元として、データ記録媒体と距離を置いたホログラフィック像が、例えば、データ処理デバイスと接続されたＣＣＤセンサを用いて検出される。
【００２０】
概念「大きい面」は、ピットの面よりも明らかに大きい面と理解され得る。この意味では、例えば、１ｍｍ２の面は、大きい面である。本発明によるホログラフィックデータ記録媒体内の情報がファイル、および読み出されるスキームについては複数の異なった可能性がある。記録層として調整されたポリマー膜の面全体が一度に照射されることによって、データ記録媒体を一度に読み出すことが考えられる。しかしながら、特に、面が比較的大きい場合、記録すべき情報を（例えば、１ｍｍ２のそれぞれの面を有する）いくらか、または多数の個別領域に分割し、情報を所与の個別領域から一度に読み出すことは有利である。
【００２１】
情報を読み出す場合、記録層の照射された領域は回折格子のように機能する。ここで、入射光は、屈折率および光学的波長が局所的に変化するために、規定の態様で偏向される。偏向された光は、記録対象物のホログラフィック像を形成する。この像は、変化する局所的光路長（屈折率変調）を介してコード化された情報の復元である。
【００２２】
本発明による、ホログラフィックデータ記録媒体は、異なったタイプの記録対象物に利用され得る。従って、例えば、写真、ロゴ、テキスト等といった画像に含まれる情報、および機械によって読み出し可能なデータが、記録および読み出され得る。この記録および読み出しは、例えば、いわゆるデータページの形態で行なわれる。この場合、（データ情報を示す）グラフィックビットパターンのホログラム内に含まれるホログラフィック情報が、上述のように、記録層に入力される。読み出す場合、このグラフィックビットパターンのホログラフィック像が生じる。この像の中に含まれる情報は、例えば、正確に調整されたＣＣＤセンサにより検出され、関連する評価ソフトウェアを介して処理され得る。（高精度は問題でない）像を複製するために、基本的には、すでに、簡単なつや消しディスクまたは、例えば、ＬＣＤスクリーンを有するカメラで十分である。
【００２３】
機械によって読み出し可能なデータをホログラフィック記録する場合、情報は、順番に読み出す必要がなく、上述のように、データセット全体が一度に検出され得ることは有利である。記録層の表面が破損した場合、これは、従来のデータ記録媒体とは異なって、データの損失に至らず、情報を読み出す際に復元されるホログラフィック像の分解能を悪化させるだけであり、これは、通常、問題ではない。
【００２４】
以下において、本発明は、例示の実施形態を参照してさらに説明される。
【００２５】
図１は、情報が入力されたホログラフィックデータ記録媒体１の実施形態の模式的平面図である。データ記録媒体１は、記録層２として調整されたポリマー膜を有する。このポリマー膜は、例示の実施形態において、二軸配向ポリプロピレン（ＢＯＰＰ）を含み、３５μｍの厚さを有する。二軸配向ポリプロピレンの屈折率は、加熱によって局所的に変更され得、これは、上述のように、情報を記録するために利用され得る。好適には、記録層２は、１０μｍ〜１００μｍの範囲の厚さを有するが、他の厚さも、同様に可能である。ポリマー膜用の、さらなる有利な材料の例は、上述のとおりである。
【００２６】
データ記録媒体１において、情報はピット４の形態で記録される。ピット４の領域において、記録層２は、ピット４間の区域における屈折率とは異なる屈折率を有する。従って、概念「ピット」は、一般に、その本来の意味（「孔」）と理解され得る。屈折率が２つの異なった値のみを想定（その際、両方の値のうちの１つは、ピット４間の区域における記録層２内の屈折率とも一致し得る）ことによって、情報はバイナリコード化された形態でピット内に記録され得る。１つのピット内に連続してコード化された形態で情報を記録することも可能である。この際、ピット４内の屈折率は、所与の数値範囲から任意に選択された値をとり得る。具体的には、バイナリコード化された形態で記録する場合、ピットは「黒」または「白」であり、他方、連続的にコード化された形態で記録する場合、さらに、すべての中間に位置するグレー値が想定され得る。
【００２７】
例示の実施形態において、ピット４は約０．８μｍの直径を有する。例えば、正方形ピットまたは矩形ピット等、円形ピット４以外の形状が、同様に可能であるが、他の大きさも可能である。好適には、ピットの通常の寸法は、約０．５μｍ〜１．０μｍである。従って、図１は、大きく拡大された図であり、データ記録媒体１の部分図が示されるにすぎない。
【００２８】
図２において、データ記録媒体１の部分の模式的な縦断面が示され、しかも縮尺どおりではない。例示的実施例においてピット４は、記録層２の厚さ全体にわたって延びないことが見出され得る。実際には、記録層がピット４の領域において加熱される、情報を入力する書き込み方法に基づいて、ピット４の下部領域における記録層２の下部領域への遷移領域が連続的に変化する。すなわち、図２に示されるように、屈折率は、この区域において段階的に変化し、あまり明確に区切られない。
【００２９】
記録層２の下（すなわち、裏側）に、例示の実施形態においてアルミニウムからなる反射層６が位置する。反射層６は、さらに、記録層２よりも実質的に薄い場合、その機能を満たし得る。
【００３０】
記録層２の上面上に、吸収体層８が付与される。例示の実施形態において、吸収体層８は吸収体色素エオシンスカーレットレッドを有する。この色素の分子は、光学的に透明なポリマー、すなわちポリメチルメタクリレート（ＰＭＭＡ）を含むマトリクスに埋め込まれる。吸収体層８は、例示の実施形態において、１μｍの厚さを有する。エオシンスカーレットレッドは、約５３２ｎｍの波長範囲の光を、特に良好に吸収する。この波長は、情報をデータ記録媒体１に入力するためのレーザリソグラフィの書き込みビームに特に適切である。吸収体層８の他の材料の例は、上述のとおりである。従って、例えば、スチリル系の緑色色素は、最近のＤＶＤ装置のレーザダイオードが動作する６６５ｎｍまたは６８０ｎｍの光波長に、特に適切である。このようなレーザダイオードは、直接的に変調され得、これは、パルスの生成を実質的に簡単および安価にする。
【００３１】
吸収体色素８は、０．２〜１．０の範囲の好適な光学密度を有する。他の値も同様に考えられ得る。光学密度は、吸収の指標であり、ここでは、書き込みビームの光波長に基づく。光学密度は、記録層２を通過する透過率の負の常用対数として定義される。これは、使用される書き込みビームの波長における吸光率、吸収体層８内の吸収体色素の濃度、および吸収体層８の厚さの積と一致する。
【００３２】
吸収体層８は、情報をデータ記録媒体１に入力することを容易にする。なぜなら、書き込みビームがピット４の領域上にフォーカスされた場合、この書き込みビームは、少なくとも部分的に吸収体層８において吸収されるからである。ここで、発生する熱は、主に記録層２に伝達され、従って、ピット４の領域における記録層２内の屈折率を局所的に変化させる。しかしながら、非常に短いレーザパルスを用いる場合に、吸収体色素を全く用いないことも可能である。
【００３３】
データ記録媒体１に情報を入力するために、最初に、記録対象物のホログラム内に含まれる位相情報は、二次元構成として計算される。これは、写真の方法で記録されるホログラムを生成する、従来の構造のシミュレーションとして実行され得る。このホログラムにおいて、レーザのコヒーレント光は、記録対象物において分散した後、コヒーレント基準ビームを用いて干渉が起こされ、この際に生じる干渉パターンはホログラムとして記録される。二次元構成（二次元アレイ）は、その後、レーザリソグラフィの書き込みビームを駆動するために必要とされる情報を含む。例示の実施形態において、レーザリソグラフィは、約５００００ｄｐｉ（すなわち、約０．５μｍ）の分解能を有する。所望の情報をデータ記録媒体１（またはデータ記録媒体１の予め選択された領域）に順番に入力するために、レーザリソグラフの書き込みビームは、パルス動作にて（ピット４を入力するためのビームパワーが約１ｍＷ〜１０ｍＷである場合、典型的なパルス持続時間は約１μｓ〜１０μｓ）データ記録媒体１の記録層２の上方に導かれる。この際、上述のように、書き込みビームは、吸収体層８を、二次元アレイに対応して加熱し、従って、ピット４を生成する。
【００３４】
図３において、データ記録媒体１において記録された情報がどのように読み出され得るかが、模式的態様で示される。このために、レーザのコヒーレント光（好適には、吸収体層８によってわずかにのみ吸収される波長)が、データ記録媒体１の上面上に向けられる。明瞭さのために、好適には、図３において並列に入射するこのコヒーレント光の、１０と表示された小さい部分のみが示される（入射レーザビーム）。実際に、コヒーレント光は、記録層２上の大きい面に向けられ、例えば、１ｍｍ２の領域を覆う。なぜなら、記録された情報を復元するために、複数のピット４から出現する光が検出されなければならないからである。入射するレーザビーム１０の強度は、記録層２における屈折率、従って、記録された情報を変更するためには過度に弱い。
【００３５】
実用的な理由から、特定の角度にてデータ記録媒体１の上面上に出現する入射する読み出しビーム１０は、記録層２と反射層６との間の界面１２にて反射されるので、反射された読み出しビーム１４は、界面１２から出現し、ここで、ピット４を貫通する。記録層２の局所的屈折率は、ピット４に応じて異なるので、反射されたレーザビーム１４の範囲内の局所的光路長は異なり、従って、位相のずれが生じる。その結果、回折格子のタイプに応じて、データ記録媒体１から球面波１６が出現する。この球面波は、記録された位相情報含む。データ記録媒体２からいくらかの距離を置いて、検出器によってホログラフィック像が検出され得る。この像は、球面波１６の干渉によって生じる。
【００３６】
検出器のために必要な経費、および検出されたホログラフィック像のさらなる処理は、上述のように、記録対象物の種類に依存する。機械によって読み出し可能なデータの複製（データページ）には、特に、データ処理デバイスと接続されたＣＣＤセンサが適切であり、他方、純粋な複製には、特に、画像データがさらに処理されない場合、より単純な検出器が有効である。
【００３７】
データ記録媒体１は、図２に見出し得る層の他に、さらなるプライ、例えば、吸収体層８の上に透明な保護層、および反射層６の下にキャリアプライを有し得る。このキャリアプライの下または、さらに反射層６のすぐ下に、好適な実施形態において、接着層が設けられる。この接着層を用いて、データ記録媒体１は、物体上に直接的に接着され得る。データ記録媒体１は、このようにして、情報を読み出すために、ホログラフィック構成を用いてのみ復号化され得る、事実上、不可視の情報を含む一種のラベルとして用いられ得る。
【００３８】
例えば、可視光において不可視の吸収体色素（例えば、赤外線に吸収される色素）が用いられる場合、または、吸収体色素が用いられない場合、あるいは情報がデータ記録媒体に入力された後、吸収体色素が洗い落とされる場合、データ記録媒体は、はるかに透明かつ非常に目立たないように構成され得る。このようなデータ記録媒体は、これがラベルとして用いられる物体を光学的に妨げない。
【図面の簡単な説明】
【図１】    図１は、本発明による、ホログラフィックデータ記録媒体の部分の、模式的平面図を示す。
【図２】  図２は、図１のホログラフィックデータ記録媒体の縦断面図を示す。
【図３】  図３は、図１のホログラフィックデータ記録媒体の縦断面図を示す。ここで、情報を読み出す際の工程が模式的に示される。
【図１】
0004646488.tif 000002
【図２】
0004646488.tif 000003
【図３】
0004646488.tif 000004